(57)【要約】【課題】多値変調処理の処理負荷を低減することができる光送信器を提供する。【解決手段】入力された電気信号である入力データ系列を光多値信号に変換して出力する光送信器であって、光多値変調を実行するためのデータを格納し、入力データ系列に基づいて、第１変調データおよび第２変調データを出力するＬＵＴ２と、第１変調データをＤ／Ａ変換して第１多値信号を生成するＤＡＣ５ａと、第２変調データをＤ／Ａ変換して第２多値信号を生成するＤＡＣ５ｂと、第１多値信号に応じて光源７からの光を変調する第１位相変調器８ａ、および第２多値信号に応じて光源からの光を変調する第２位相変調器８ｂを含み、第１位相変調器８ａからの光信号と第２位相変調器８ｂからの光信号とを合成して、光多値信号を出力する２電極ＭＺ変調器８とを備えている。【選択図】図１
2010166376.tif 000002
【特許請求の範囲】
【請求項１】
入力された電気信号である入力データ系列を光多値信号に変換して出力する光送信器であって、
光多値変調を実行するためのデータを格納し、前記入力データ系列に基づいて、第１変調データおよび第２変調データを出力するルックアップテーブルと、
前記第１変調データをＤ／Ａ変換して第１多値信号を生成する第１Ｄ／Ａコンバータと、
前記第２変調データをＤ／Ａ変換して第２多値信号を生成する第２Ｄ／Ａコンバータと、
前記第１多値信号に応じて光源からの光を変調する第１位相変調器、および前記第２多値信号に応じて前記光源からの光を変調する第２位相変調器を含み、前記第１位相変調器からの光信号と前記第２位相変調器からの光信号とを合成して、前記光多値信号を出力する２電極ＭＺ変調器と、
を備えたことを特徴とする光送信器。
【請求項２】
出力される前記光多値信号が所望の値となるように、前記ルックアップテーブルに格納された格納データを補正するルックアップテーブル制御手段をさらに備えたことを特徴とする請求項１に記載の光送信器。
【請求項３】
前記ルックアップテーブル制御手段は、前記光多値信号の信号点配置の最適値からのずれが最小になるように前記格納データを補正することを特徴とする請求項２に記載の光送信器。
【請求項４】
前記ルックアップテーブル制御手段は、前記格納データに、前記入力データ系列の既知のトレーニングパターンに対する応答特性の逆特性を乗算して前記格納データを補正することを特徴とする請求項２に記載の光送信器。
【請求項５】
前記ルックアップテーブル制御手段は、光送信器に対向する光受信器での信号誤り率が最小になるように前記格納データを補正することを特徴とする請求項２に記載の光送信器。
【請求項６】
前記ルックアップテーブルは、前記第１Ｄ／Ａコンバータおよび前記第２Ｄ／Ａコンバータの出力データ更新速度と前記光多値信号のシンボルレートとの比をｎとしたときに、ｎ組以上の格納データを有し、前記第１Ｄ／Ａコンバータおよび前記第２Ｄ／Ａコンバータの出力データ更新タイミングに応じて格納データが切り替えられることを特徴とする請求項１から請求項５までの何れか１項に記載の光送信器。
【請求項７】
前記ルックアップテーブルは、あらかじめ測定された第１Ｄ／Ａコンバータおよび前記第２Ｄ／Ａコンバータの特性、並びに前記第１位相変調器および前記第２位相変調器の必要駆動電圧に基づいて、前記光多値信号の信号点配置の最適値からのずれが最小になるように補正された格納データを有することを特徴とする請求項１から請求項６までの何れか１項に記載の光送信器。
【発明の詳細な説明】
【技術分野】
【０００１】
この発明は、電気信号を光信号に変換して送信する光送信器に関する。
【背景技術】
【０００２】
ＷＤＭ光通信システムの大容量化を実現するには、１波長あたりの伝送レートを上げることが有用である。ここで、変調方式を変えることなく光伝送路に送出するシンボルレートを上げた場合には、許容残留分散量がシンボルレートの２乗に反比例するので、光伝送路の波長分散耐力が低下するという問題点があった。また、電気信号処理を高速に実行することが必要となり、アナログ電気部品のコストが増加するという問題点もあった。
【０００３】
そのため、近年では、シンボルレートを上げることなく、１シンボルあたりの信号多重度を上げることで、システムの大容量化を実現するための研究が盛んに行われている。
信号多重度を上げる方式として、例えば、１シンボルに２値（多重度２）を割り当てることで伝送容量を２倍にするＱＰＳＫ方式や、１シンボルに４値（多重度４）を割り当てることで伝送容量を４倍にする１６ＱＡＭ方式、１６ＡＰＳＫ方式等の多値変調方式が知られている。
【０００４】
通常、これらの多値変調を実行する場合には、光変調器としてＩ／Ｑ変調器が用いられる。Ｉ／Ｑ変調器は、直交する光電界成分（Ｉチャンネル、Ｑチャンネル）を独立して生成可能な変調器であり、マッハツェンダー（ＭＺ：Ｍａｃｈ−Ｚｅｈｎｄｅｒ）変調器を並列接続した特殊な構成をとるものである。
【０００５】
例えば、ＱＰＳＫ変調を実行する場合には、ＭＺ変調器を２個並列に接続したＤｕａｌ  Ｐａｒａｌｌｅｌ  ＭＺ変調器（ＤＰＭＺＭ：Ｄｕａｌ  Ｐａｒａｌｌｅｌ  ＭＺ  Ｍｏｄｕｌａｔｏｒ）が用いられる（例えば、特許文献１参照）。
また、１６ＱＡＭ変調を実行する場合には、ＤＰＭＺＭや、ＤＰＭＺＭをさらに２個並列に接続したＱｕａｄ  Ｐａｒａｌｌｅｌ  ＭＺ変調器（ＱＰＭＺＭ：Ｑｕａｄ  Ｐａｒａｌｌｅｌ  ＭＺ  Ｍｏｄｕｌａｔｏｒ）が用いられる（例えば、非特許文献１参照）。
【０００６】
ここで、特許文献１および非特許文献１の何れの変調器を用いる場合であっても、ＭＺ変調器の数が増えることによって、コストが増加するとともに、バイアス制御箇所が増加するという問題点があった。
そこで、位相変調器を２個並列に接続した２電極ＭＺ変調器（ＤＤＭＺＭ：Ｄｕａｌ  Ｄｒｉｖｅ  ＭＺＭ）を用いて多値変調を実現することが考えられている（例えば、特許文献２、非特許文献２）。
【０００７】
２電極ＭＺ変調器は、プッシュプル型光変調器として、通常の光送受信器に広く適用されている光部品なので、コストの低減を図ることができる。また、ＭＺ変調器を一度通過するだけの構成なので、光の挿入損失低減を図ることができる。
【先行技術文献】
【特許文献】
【０００８】
【特許文献１】特表２００４−５１６７４３号公報
【特許文献２】米国特許第７０２３６０１号明細書
【非特許文献】
【０００９】
【非特許文献１】Ｔ．Ｓａｋａｍｏｔｏ，ｅｔ  ａｌ．，“５０−Ｇｂ／ｓ  １６  ＱＡＭ  ｂｙ  ａ  ｑｕａｄ−ｐａｒａｌｌｅｌ  Ｍａｃｈ−Ｚｅｈｎｄｅｒ  ｍｏｄｕｌａｔｏｒ”，ＥＣＯＣ２００７，ＰＤ２．８，２００７
【非特許文献２】Ｋ−Ｐ．Ｈｏ，ｅｔ  ａｌ．，“Ｇｅｎｅｒａｔｉｏｎ  ｏｆ  Ａｒｂｉｔｒａｒｙ  Ｑｕａｄｒａｔｕｒｅ  Ｓｉｇｎａｌｓ  Ｕｓｉｎｇ  Ｏｎｅ  Ｄｕａｌ−Ｄｒｉｖｅ  Ｍｏｄｕｌａｔｏｒ”，ＩＥＥＥ  Ｊ．Ｌｉｇｈｔｗａｖｅ  Ｔｅｃｈｎｏｌ．，Ｖｏｌ．２３，Ｎｏ．２，Ｆｅｂｒｕａｒｙ  ２００５，ｐｐ．７６４−７７０
【発明の概要】
【発明が解決しようとする課題】
【００１０】
しかしながら、従来技術には、次のような問題点があった。
従来の光送信器では、高速で入力される入力データ系列に対して多値変調処理を実行する必要があるので、処理負荷が大きくなるという問題点があった。
【００１１】
この発明は、上記のような課題を解決するためになされたものであって、その目的は、多値変調処理の処理負荷を低減することができる光送信器を提供することにある。
【課題を解決するための手段】
【００１２】
この発明に係る光送信器は、入力された電気信号である入力データ系列を光多値信号に変換して出力する光送信器であって、光多値変調を実行するためのデータを格納し、入力データ系列に基づいて、第１変調データおよび第２変調データを出力するルックアップテーブルと、第１変調データをＤ／Ａ変換して第１多値信号を生成する第１Ｄ／Ａコンバータと、第２変調データをＤ／Ａ変換して第２多値信号を生成する第２Ｄ／Ａコンバータと、第１多値信号に応じて光源からの光を変調する第１位相変調器、および第２多値信号に応じて光源からの光を変調する第２位相変調器を含み、第１位相変調器からの光信号と第２位相変調器からの光信号とを合成して、光多値信号を出力する２電極ＭＺ変調器とを備えたものである。
【発明の効果】
【００１３】
この発明の光送信器によれば、光送信器は、光多値変調を実行するためのデータを格納し、入力データ系列に基づいて、第１変調データおよび第２変調データを出力するルックアップテーブルを備えている。これにより、入力データ系列に対して第１変調データおよび第２変調データをそれぞれ１対１に出力することができる。
そのため、多値変調処理の処理負荷を低減することができる。
【図面の簡単な説明】
【００１４】
【図１】この発明の実施の形態１に係る光送信器を示すブロック構成図である。
【図２】この発明の実施の形態１による４ビットの入力データの組と複素平面上における信号点配置との関係を例示する説明図である。
【図３】この発明の実施の形態１によるＤＡＣの分解能（ビット数）と、ペナルティとの関係を示す説明図である。
【図４】図２の信号点配置を実現するために必要な第１および第２駆動電気信号と、６ビット分解能のＤＡＣを仮定した場合のＬＵＴの格納データとを例示する説明図である。
【図５】図２の信号点配置を実現するために必要な第１および第２駆動電気信号と、６ビット分解能のＤＡＣを仮定した場合のＬＵＴの格納データとを例示する別の説明図である。
【図６】図４に示したテーブル設定に対応した第１および第２駆動電気信号を用いた場合の、駆動振幅変動（振幅ずれ）と、ペナルティとの関係を示す説明図である。
【図７】この発明の実施の形態１において、駆動電気信号の駆動振幅が最適値よりも減少（０．９倍）した場合の、４ビットの入力データの組と複素平面上における信号点配置との関係を示す説明図である。
【図８】この発明の実施の形態１において、駆動電気信号の駆動振幅が最適値よりも増加（１．１倍）した場合の、４ビットの入力データの組と複素平面上における信号点配置との関係を示す説明図である。
【図９】この発明の実施の形態１において、駆動電気信号の駆動振幅が最適値よりも減少した場合におけるＬＵＴの格納データの設定例を示す説明図である。
【発明を実施するための形態】
【００１５】
以下、この発明の各実施の形態について図に基づいて説明するが、各図において同一、または相当する部分については、同一符号を付して説明する。
なお、以下の実施の形態では、Ｓ／Ｐ変換部１およびＰ／Ｓ変換部４を備えた構成としているが、入力データ系列と同じ速度でＬＵＴ２の処理を実行する場合には、Ｓ／Ｐ変換部１およびＰ／Ｓ変換部４は不要となる。
【００１６】
実施の形態１．
図１は、この発明の実施の形態１に係る光送信器を示すブロック構成図である。
図１において、この光送信器は、Ｓ／Ｐ（Ｓｅｒｉａｌ／Ｐａｒａｌｌｅｌ）変換部１、ルックアップテーブル２、ルックアップテーブル制御部３、Ｐ／Ｓ（Ｐａｒａｌｌｅｌ／Ｓｅｒｉａｌ）変換部４、２つのＤ／Ａコンバータ５ａ、５ｂ（第１、第２Ｄ／Ａコンバータ）、２つの電気増幅器６ａ、６ｂ、光源７および２電極ＭＺ変調器８を備えている。
【００１７】
２電極ＭＺ変調器８は、２つの位相変調器８ａ、８ｂから構成されている。
なお、以下、ルックアップテーブル２を、ＬＵＴ２（Ｌｏｏｋ−ｕｐ  Ｔａｂｌｅ）と称する。また、Ｄ／Ａコンバータ５ａ、５ｂを、ＤＡＣ５ａ、５ｂ（Ｄｉｇｉｔａｌ／Ａｎａｌｏｇ  Ｃｏｎｖｅｒｔｏｒ）と称する。
【００１８】
以下、この光送信器の各部位の機能について説明する。
Ｓ／Ｐ変換部１は、光送信器に入力された入力データ系列を、ＬＵＴ２の処理速度に合わせて並列展開する。ＬＵＴ２は、Ｓ／Ｐ変換部１による展開数と同数のテーブルを有し、並列展開された入力データ系列に応じたＤＡＣ５ａ、５ｂの設定値（第１変調データ、第２変調データ）を出力する。ここで、ＬＵＴ２には、光多値変調を実現するデータが格納され、また、格納データは、再設定が可能になっている。ＬＵＴ制御部３（ルックアップテーブル制御手段）は、ＬＵＴ２の格納データを随時変更する。ＬＵＴ制御部３による格納データの変更処理については後述する。
【００１９】
Ｐ／Ｓ変換部４は、ＬＵＴ２からの出力をＰ／Ｓ変換して、ＤＡＣ５ａ、５ｂの出力データ更新速度に対応したデータレートを有するＤＡＣ５ａ、５ｂの設定値を生成し、ＤＡＣ５ａ、５ｂにそれぞれ出力する。ＤＡＣ５ａ、５ｂは、Ｐ／Ｓ変換部４から出力された設定値をＤ／Ａ変換し、第１多値信号および第２多値信号を生成する。電気増幅器６ａ、６ｂは、ＤＡＣ５ａ、５ｂからの第１および第２多値信号を、光変調に必要な電圧振幅まで増幅し、第１駆動電気信号Ｖ１（ｔ）および第２駆動電気信号Ｖ２（ｔ）を生成する。
【００２０】
２電極ＭＺ変調器８は、電気増幅器６ａ、６ｂからの第１および第２駆動電気信号Ｖ１（ｔ）、Ｖ２（ｔ）で位相変調器８ａ、８ｂを駆動して、光源７からの連続（ＣＷ：Ｃｏｎｔｉｎｕｏｕｓ−ｗａｖｅ）光を変調し、変調光信号を出力する。
ここで、ＬＵＴ２の格納データとして、光多値変調を実現するデータが格納されているので、２電極ＭＺ変調器８から出力される変調光信号として、光多値信号を得ることができる。
【００２１】
なお、ＬＵＴ２は、光多値信号の信号多重度（１シンボルにマッピングする信号数）に応じたＤＡＣ５ａ、５ｂの設定値を出力するために、光多値信号の信号多重度以上の長さを有するアドレス長と、ＤＡＣ５ａ、５ｂの量子化ビット数以上の長さのビット幅とを持つテーブル構成としている。このとき、入力データ系列のビット列をアドレスとしてデータ参照することにより、所望のＤＡＣ５ａ、５ｂの設定値を読み出すことができる。
【００２２】
以下、光多値変調として、２電極ＭＺ変調器８（ＤＤＭＺＭ）を用いて１６ＱＡＭ変調を実行する場合を例に挙げて説明する。
１６ＱＡＭ変調では、光信号の１シンボルに４ビットのデータを割り当てる。この多値化操作によって、例えばシンボルレートが１０Ｇｓｙｍｂｏｌ／ｓである光信号により、４０Ｇｂ／ｓの情報を転送することができる。４ビットの入力データの組と複素平面上における信号点配置との関係を図２に例示する。
【００２３】
ここで、２電極ＭＺ変調器８の伝達関数は、極座標表示の形式をもとにして、次式（１）のように表される。式（１）において、Ｖπは、２電極ＭＺ変調器８の半波長電圧である。
【００２４】
【数１】
2010166376.tif 000003
【００２５】
また、図２の各信号点を生成するために必要な第１および第２駆動電気信号Ｖ１（ｔ）、Ｖ２（ｔ）は、式（１）の逆変換により、次式（２）のように表される。
【００２６】
【数２】
2010166376.tif 000004
【００２７】
なお、実際に式（２）で表される各信号点の生成に必要な電圧を出力するためには、ＤＡＣ５ａ、５ｂを使用する。また、ＤＡＣ５ａ、５ｂの出力データ更新速度としては、伝送シンボルレートの２倍以上の速度とすることが一般的である。
【００２８】
次に、ＤＡＣ５ａ、５ｂの分解能（ビット数）と、最適信号点からのずれ量の平均値で表されるペナルティとの関係を図３に示す。
図３において、白丸は２電極ＭＺ変調器８（ＤＤＭＺＭ）、黒丸は上述したＤｕａｌ  Ｐａｒａｌｌｅｌ  ＭＺ変調器（ＤＰＭＺＭ）に対する計算結果である。
図３より、２電極ＭＺ変調器８（ＤＤＭＺＭ）の使用を考えた場合に、ペナルティを無視することができる領域を考慮すると、６ビット以上の分解能を有するＤＡＣ５ａ、５ｂを用いればよいことが分かる。
【００２９】
続いて、図２の信号点配置を実現するために必要な第１および第２駆動電気信号Ｖ１（ｔ）、Ｖ２（ｔ）と、６ビット分解能のＤＡＣ５ａ、５ｂを仮定した場合のＬＵＴ２の格納データとを図４に例示する。
図４において、第１および第２駆動電気信号Ｖ１（ｔ）、Ｖ２（ｔ）の値は、２電極ＭＺ変調器８に印加する電圧値を、２電極ＭＺ変調器８の半波長電圧を基準にして表した値である。
【００３０】
ＬＵＴ２では、４ビットデータの組をアドレス入力とし、アドレスに対応した６ビットの格納データを出力として用いることにより、ＤＡＣ５ａ、５ｂに設定する６ビットデータを得ることができる。
また、４ビットデータの組は、図２の各信号点にも対応しているので、ＬＵＴ２の出力として得られた６ビットデータに対応したＤＡＣ５ａ、５ｂからの出力を用いて２電極ＭＺ変調器８を駆動することにより、光多値信号として１６ＱＡＭ変調に対応した各信号点を実現することができる。
【００３１】
このとき、ＤＡＣ５ａ、５ｂの出力データ更新速度を、光多値信号のシンボルレートのｎ倍とした場合には、図４に示したＬＵＴ２の格納データをｎ組以上準備することにより、ＤＡＣ５ａ、５ｂの出力データの更新タイミング毎に、最適なデータを設定することができる。
【００３２】
なお、図４に示した第１および第２駆動電気信号Ｖ１（ｔ）、Ｖ２（ｔ）とＬＵＴ２の格納データとは、これらの値に限定されるものではなく、同一の信号点配置を実現することができる組み合わせであれば、他の値であってもよい。第１および第２駆動電気信号Ｖ１（ｔ）、Ｖ２（ｔ）と、６ビット分解能のＤＡＣ５ａ、５ｂを仮定した場合のＬＵＴ２の格納データとの他の例を図５に示す。
【００３３】
次に、図４に示したテーブル設定に対応した第１および第２駆動電気信号Ｖ１（ｔ）、Ｖ２（ｔ）を用いた場合の、駆動振幅変動（振幅ずれ）と、ペナルティとの関係を図６に示す。
図６において、白丸は２電極ＭＺ変調器８（ＤＤＭＺＭ）、黒丸はＤＰＭＺＭに対する計算結果である。
図６より、２電極ＭＺ変調器８（ＤＤＭＺＭ）を使用した場合には、ＤＰＭＺＭを使用した場合よりも、駆動電気信号の最適設定からのずれに対する許容度が小さいことが分かる。
【００３４】
続いて、駆動電気信号の駆動振幅が最適値よりも減少（０．９倍）した場合の、４ビットの入力データの組と複素平面上における信号点配置との関係を図７に示す。また、駆動電気信号の駆動振幅が最適値よりも増加（１．１倍）した場合の、４ビットの入力データの組と複素平面上における信号点配置との関係を図８に示す。
図７および図８において、白丸は最適な駆動振幅に対応した信号点配置であり、黒丸は駆動振幅が最適値からずれた場合の信号点配置である。
図７および図８より、駆動振幅のずれが信号品質に大きく影響することが分かる。
【００３５】
ここで、図４に示したＬＵＴ２の格納データが最適設定であっても、実際の光送信器の駆動に際しては、２電極ＭＺ変調器８に印加すべき駆動電気信号の最適な駆動振幅とＬＵＴ２の格納データとの間に差異が生じる場合がある。この要因としては、ＤＡＣ５ａ、５ｂの出力の不完全性、電気増幅器６ａ、６ｂの利得および出力信号の振幅の個体ばらつき、２電極ＭＺ変調器８の半波長電圧の個体ばらつき等が考えられる。
【００３６】
そこで、ＤＡＣ５ａ、５ｂの特性、電気増幅器６ａ、６ｂの特性、２電極ＭＺ変調器８を構成する位相変調器８ａ、８ｂの必要駆動電圧等による駆動振幅のずれをあらかじめ測定し、測定された駆動振幅のずれを低減するように格納データを補正したＬＵＴ２を用いることにより、信号品質の劣化を低減することができる。
【００３７】
また、信号品質の劣化を低減する別の方法として、ＬＵＴ制御部３によってＬＵＴ２の格納データを随時変更することにより、駆動電気信号の振幅を最適状態に維持することが考えられる。この場合には、ＤＡＣ５ａ、５ｂの特性、電気増幅器６ａ、６ｂの特性、２電極ＭＺ変調器８を構成する位相変調器８ａ、８ｂの必要駆動電圧等による駆動振幅のずれを随時検出し、ずれ量に応じてＬＵＴ２の格納データを変更する。
【００３８】
これにより、光送信器を構成した後に、各部品の性能に応じて個別の光送信器毎にＬＵＴ２の格納データを設定することができ、信号品質の劣化を防止することができる。
ここで、ＬＵＴ２の格納データの最適化手法としては、２電極ＭＺ変調器８から出力される光多値信号を観測し、最適信号点が得られるように調整する手法、既知のトレーニングパターンの応答から得られる系の逆特性を乗算する手法、対向する光受信器での受信データの誤り率を最小とする手法等を用いることができる。
【００３９】
なお、光多値信号の観測結果としては、通常、複素平面上の信号点配置として、Ｉチャンネル成分（実部成分）およびＱチャンネル成分（虚部成分）の直交座標系で表される信号系列が用いられる。このとき、２電極ＭＺ変調器８を用いる場合には、駆動電気信号と光多値信号とが上記式（１）で表される関係を有するので、ＤＰＭＺＭ使用時とは異なり、光多値信号のＩチャンネル成分およびＱチャンネル成分の理想状態からのずれが駆動電気信号と１対１に対応しない。
そのため、２電極ＭＺ変調器８を用いた系で上述した逆特性を抽出する場合には、上記式（１）および上記式（２）で表される２電極ＭＺ変調器８の伝達関数を考慮した演算を行う必要がある。
【００４０】
図９は、駆動電気信号の駆動振幅が最適値よりも減少した場合におけるＬＵＴ２の格納データの設定例を示す説明図である。
図９において、ＬＵＴ２の格納データとしては、ＤＡＣ５ａ、５ｂが７ビットの分解能を有しており、初期状態として、図４に対応する６ビット分解能相当のデータが格納されている状態を仮定する。
【００４１】
図９より、初期状態において駆動振幅が最適値の０．９倍であり、１．１倍（＝１／０．９倍）の補正を実行する場合には、右２列の値にＬＵＴ２の格納データを変更することにより、容易に電気駆動信号を補正することができ、最適な駆動条件で１６ＱＡＭ変調を実行することができる。
【００４２】
ここで、図９に示されるように、ＬＵＴ２の格納データのビット幅およびＤＡＣ５ａ、５ｂのビット幅は、実現される変調方式に必要なビット数に、補正用のビットを追加したサイズとすることが望ましい。例えば、図３に示したペナルティに基づいて、１６ＱＡＭ変調を実行する場合に必要なビット幅を６ビットと見積もったとき、ＬＵＴ２の格納データを７ビットとし、７ビットの分解能を有するＤＡＣ５ａ、５ｂを用いることにより、図９に示した補正処理を実行することができる。
【００４３】
次に、例えば、１６ＱＡＭ変調により４０Ｇｂ／ｓの情報を転送する場合におけるＬＵＴ２のメモリ容量について説明する。
なお、生成される光多値信号のシンボルレートを１０Ｇｓｙｍｂｏｌ／ｓ、ＤＡＣ５ａ、５ｂの分解能を７ビット、ＬＵＴ２の格納データのデータ幅を７ビット、ＤＡＣ５ａ、５ｂの出力更新タイミングを光多値信号のシンボルレートの２倍（２倍オーバサンプリング）、Ｓ／Ｐ変換部１の内部演算を６４並列と仮定する。
このとき、ＬＵＴ２の格納データとしては、第１および第２駆動電気信号Ｖ１（ｔ）、Ｖ２（ｔ）用ともに、１４Ｋｂｉｔ（＝６４×１６×７×２）のメモリ容量を持てばよい。
【００４４】
この発明の実施の形態１に係る光送信器によれば、光送信器は、光多値変調を実行するためのデータを格納し、入力データ系列に基づいて、第１変調データおよび第２変調データを出力するルックアップテーブルを備えている。これにより、入力データ系列に対して第１変調データおよび第２変調データをそれぞれ１対１に出力することができる。
そのため、多値変調処理の処理負荷を低減することができる。
【００４５】
また、この光変調器は、ルックアップテーブルの格納データを随時変更するルックアップテーブル制御手段を備えている。
そのため、光送信器を構成した後に、各部品の性能に応じて個別の光送信器毎にルックアップテーブルの格納データを設定することができ、信号品質の劣化を防止することができる。
【００４６】
なお、上記実施の形態１では、図８において、２電極ＭＺ変調器８の駆動振幅の補正を例に挙げたが、ＬＵＴ２を用いたデータ設定を実行しているので、線形補正および非線形補正の何れにも対応することができる。
また、上記実施の形態１では、図８において、追加ビットを１ビットとする場合について説明したが、これに限定されず、補正内容に応じて自由にビット幅を追加してもよい。
【００４７】
また、上記実施の形態１では、信号点を実現するタイミングにおけるデータ補正について説明したが、同一の信号点に対して、ＤＡＣ５ａ、５ｂの出力更新タイミングに対応したｎ個のテーブル値を持つことにより、ｎ倍オーバサンプリングデータを用いた一般的な線形および非線形補正を実行することができる。
【００４８】
また、上記実施の形態１では、ＬＵＴ２の格納データの補正について、光送信器の各部位の特性のみを考慮したが、これに限定されない。ＬＵＴ２の格納データを補正する際に、光送信器と対向する光受信器の特性（信号誤り率等）をさらに考慮することにより、より最適な動作を実現することができる。光受信器の特性は、逆方向の通信経路の使用、監視制御光や大衆回線を使用した情報転送等によってフィードバックすることができる。
なお、ＬＵＴ２を用いた場合には、入力データ系列の多値信号への信号配置（マッピング）と、駆動電気信号の補正とを同時に実行することができるので、回路を小型化することができる。
【符号の説明】
【００４９】
２  ＬＵＴ（ルックアップテーブル）、３  ＬＵＴ制御部（ルックアップテーブル制御手段）、５ａ、５ｂ  ＤＡＣ（第１、第２Ｄ／Ａコンバータ）、７  光源、８  ２電極ＭＺ変調器、８ａ、８ｂ  位相変調器。
【図１】
2010166376.tif 000005
【図２】
2010166376.tif 000006
【図３】
2010166376.tif 000007
【図４】
2010166376.tif 000008
【図５】
2010166376.tif 000009
【図６】
2010166376.tif 000010
【図７】
2010166376.tif 000011
【図８】
2010166376.tif 000012
【図９】
2010166376.tif 000013